(57)【要約】【課題】  吸込空気の温度及び／又は湿度を正確に検出することが可能なセンサ付きの空気調和機を提供することにある。【解決手段】  吸込口及び吐出口を有する室内ユニット内に、熱交換器と複数の送風機５，６とを備え、各送風機５，６を介して吸込口から吸い込まれる空気を熱交換器で熱交換させて吐出口から吐出させる空気調和機である。そして、各送風機５，６間の風上側スペースに吸込空気の温度及び／又は湿度を検出するセンサ１３，１４を備えた構成である。【選択図】      図２
2004170056.tif 000002
【特許請求の範囲】
【請求項１】
吸込口及び吐出口を有する室内ユニット内に、熱交換器と複数の送風機とを備え、各送風機を介して吸込口から吸い込まれる空気を前記熱交換器で熱交換させて吐出口から吐出させる空気調和機において、前記各送風機の間の風上側スペースに吸込空気の温度及び／又は湿度を検出するセンサを備えたことを特徴とする空気調和機。
【請求項２】
前記複数の送風機がシロッコファンで構成され、これらシロッコファンをそれぞれ収容する風洞ケースと風洞ケースとの間のスペースに、前記センサが配置されていることを特徴とする請求項１に記載の空気調和機。
【請求項３】
前記センサが温度センサと湿度センサとにて構成され、これら温度センサ及び湿度センサの双方が、前記各送風機を固定するベースプレートに取り付けられた一つの固定具に支持されていることを特徴とする請求項１に記載の空気調和機。
【発明の詳細な説明】
【技術分野】
【０００１】
本発明は、天井裏に配置される室内ユニット内に熱交換器と複数の送風機とを備えた空気調和機に関する。
【背景技術】
【０００２】
一般に、天井裏に配置される室内ユニット内に、熱交換器と複数の送風機とを備え、これら送風機を介して吸込口から吸い込まれる空気を熱交換器で熱交換させて空気調和し、その空気調和された空気を吐出口から被調和室へ吐出させる形式の天井埋込型空気調和機が知られている（例えば、特許文献１参照。）。
【０００３】
この種の天井埋込型空気調和機では、吸込空気の温度及び／又は湿度を検出するセンサを備えるのが一般的であり、このセンサは、室内ユニット内の熱交換器の表面に取り付けられていた。
【特許文献１】特開平６−１３７６３３号公報
【発明の開示】
【発明が解決しようとする課題】
【０００４】
しかしながら、熱交換器の表面にセンサを取り付けた場合、その部分の流速が速いために、吸込空気の温度及び／又は湿度を正確に検出することができないという問題があった。
【０００５】
そこで、本発明の目的は、上述した従来の技術が有する課題を解消し、吸込空気の温度及び／又は湿度を正確に検出することが可能なセンサ付きの空気調和機を提供することにある。
【課題を解決するための手段】
【０００６】
請求項１に記載の発明は、吸込口及び吐出口を有する室内ユニット内に、熱交換器と複数の送風機とを備え、各送風機を介して吸込口から吸い込まれる空気を前記熱交換器で熱交換させて吐出口から吐出させる空気調和機において、前記各送風機の間の風上側スペースに吸込空気の温度及び／又は湿度を検出するセンサを備えたことを特徴とする。
【０００７】
請求項２に記載の発明は、請求項１に記載の空気調和機において、前記複数の送風機がシロッコファンで構成され、これらシロッコファンをそれぞれ収容する風洞ケースと風洞ケースとの間のスペースに、前記センサが配置されていることを特徴とする。
【０００８】
請求項３に記載の発明は、請求項１に記載の空気調和機において、前記センサが温度センサと湿度センサとにて構成され、これら温度センサ及び湿度センサの双方が、前記各送風機を固定するベースプレートに取り付けられた一つの固定具に支持されていることを特徴とする。
【発明の効果】
【０００９】
本発明では、吸込口及び吐出口を有する室内ユニット内に、熱交換器と複数の送風機とを備え、各送風機を介して吸込口から吸い込まれる空気を前記熱交換器で熱交換させて吐出口から吐出させる空気調和機において、前記各送風機の間の風上側スペースに吸込空気の温度及び／又は湿度を検出するセンサを備えた構成であるから、センサが設置されているスペースでは、送風機に吸い込まれる吸込空気が滞留してその流速が遅くなるため、センサの検出精度を向上させることが可能になり、センサからのデータに従う空気調和機の空調運転の精度を高めることができる。
【実施例１】
【００１０】
以下、本発明の一実施例について、図１〜図３の図面を参照して説明すると、図１において、１は室内ユニットであり、この室内ユニット１は、天井裏に埋め込まれて使用される。そして、この室内ユニット１は箱形を呈し、それの上面後部には吸込口２，２が形成されるとともに、前面には横長矩形状の吐出口３が形成されている。ここで、図１に示すように、室内ユニット１の背面の吸込口（図示せず）に吸込ダクト４，４を接続する場合、前記室内ユニット１の上面後部の吸込口２，２は、仮想線で示す蓋部材２０によって閉塞される。
【００１１】
前記室内ユニット１の内部には、吸込口２から吐出口３に向けて、２つのシロッコファン（送風機）５，６と、このシロッコファンの風下側に位置する熱交換器７とが配設され、前記シロッコファン５，６の駆動によって吸い込まれた空気は、熱交換器７で空気調和された後、吐出口３から被調和室に吐出される。
【００１２】
前記熱交換器７には、冷媒圧縮機、四方弁、室外熱交換器および減圧装置が内蔵された図示しない室外機からの冷媒が供給される。前記２つのシロッコファン５，６は、図２及び図３に示すように、ベースプレート９上に取り付けられている。
【００１３】
前記シロッコファン５，６は、一本のシャフト１０で連結されており、このシャフト１０には、一端側で駆動用モータ１１が連結され、そして、このモータ１１の駆動により、２つのシロッコファン５，６が同期して駆動される。１２は前記シャフト１０の他端を支える軸受けである。前記シロッコファン５，６は、それぞれ風洞ケース５Ａ，６Ａ内に収容されており、これら各風洞ケース５Ａ，６Ａは、それの側面に前記シャフト１０が貫通すると共に空気吸込用の開口（図示せず）を有し、図２及び図３に示すように、一方の風洞ケース５Ａと他方の風洞ケース６Ａとの間には、吸込空気の温度を検出するセンサ１３と、湿度を検出するセンサ１４とが配置されている。
【００１４】
また、前記各センサ１３，１４は、前記ベースプレート９に固定された一つの固定具１５にそれぞ支持されており、前記ベースプレート９上の風洞ケース５Ａ，６Ａ間の風上側スペースに配置固定されている。ここで、図２において、吸込空気の流れは矢印Ａで示される。
【００１５】
すなわち、シロッコファン５，６が駆動されると、室内ユニット１の吸込口２から吸い込まれた空気は、風洞ケース５Ａ，６Ａの側面からシロッコファン５，６に入り、風洞ケース５Ａ，６Ａの吐出口（図示せず）から、前記熱交換器７に向けて吐出され、ここで空気調和された後、室内ユニット１の吐出口３から被調和室に吐出される。この空気の流れに従うと、図２に示すように、ベースプレート９上の風洞ケース５Ａ，６Ａ間の風上側スペースには空気の滞留が発生しており、この滞留部分に、各センサ１３，１４が配置されている。
【００１６】
本実施例では、吸込空気が滞留して流速が遅くなる部分に、すなわち、ベースプレート９上の風洞ケース５Ａ，６Ａ間の風上側スペースに、各センサ１３，１４を配置したため、各センサ１３，１４における吸込空気の温度及び湿度の検出精度を向上させることができる。
【００１７】
これによれば、各センサ１３，１４からのデータに追従する空気調和機のサーモオン制御、サーモオフ制御を、従来の空気調和機に比べて、かなり精度よく実行することができる。
【００１８】
また、前記各センサ１３，１４は、共通の一つの固定具１５に支持されて、ベースプレート９上に固定されるため、取り付け作業が容易になり、そして、各センサ１３，１４の感温部や感湿部を、ベースプレート９上に突出させているため、その頭出し量Ｈ（図３を参照）を調整することにより、感度の微調整を行うことができる。
【００１９】
以上、本発明を一実施例に基づいて説明したが、本発明は、これに限定されるものではなく、種々変更が可能である。例えば、温度及び湿度のセンサ１３，１４は、いずれか一つでもよく、また、送風機が３台以上の場合、いずれか２台の送風機間、或いは２台の送風機間の内、最も風速が遅くなるであろう部分にセンサを設ければよい。
【図面の簡単な説明】
【００２０】
【図１】本発明に係る空気調和機の一実施例を示す斜視図である。
【図２】送風機を示す平面図である。
【図３】同じく側面図である。
【符号の説明】
【００２１】
１        室内ユニット
２        吸込口
３        吐出口
５        送風機（シロッコファン）
５Ａ      風洞ケース
６        送風機（シロッコファン）
６Ａ      風洞ケース
７        熱交換器
１１        モータ
１３        センサ
１４        センサ
１５        固定具
【図１】
2004170056.tif 000003
【図２】
2004170056.tif 000004
【図３】
2004170056.tif 000005